(57)【要約】      （修正有）【課題】ケーキ及び／又は菓子を装飾することのできる菓子用チューブを提供する。【解決手段】菓子用チューブ１は、変形可能なチューブ本体部２と、チューブ本体部２の先端に取り付けられる絞り口部３であって、複数の孔３１、・・・が形成された絞り口部３と、絞り口部３を開閉可能に封鎖する蓋部４と、チューブ本体部２に封入されるクリームペーストであって、絞り口部３から複数の筋状に絞り出される、クリームペーストと、から構成されている。【選択図】図１
0003233148.tif 000002
【実用新案登録請求の範囲】
【請求項１】
変形可能なチューブ本体部と、
前記チューブ本体部の先端に取り付けられる絞り口部であって、複数の孔が形成された絞り口部と、
前記絞り口部を開閉可能に封鎖する蓋部と、
前記チューブ本体部に封入されるクリームペーストであって、前記絞り口部から複数の筋状に絞り出される、クリームペーストと、から構成される、菓子用チューブ。
【請求項２】
請求項１に記載された、菓子用チューブと、
前記クリームペーストが絞り出される菓子と、
から構成される、菓子キット。
【請求項３】
前記クリームペーストは、モンブランケーキ用のマロンクリームペーストであるとともに、前記菓子はモンブランケーキ用の土台である、請求項２に記載された、菓子キット。
【請求項４】
請求項２又は請求項３に記載された菓子キットと、
茶葉が封入されたティーバッグと、から構成される、ティーキット。
【考案の詳細な説明】
【技術分野】
【０００１】
本考案は、新規の菓子用チューブと、菓子キットと、ティーキットと、に関するものである。
【背景技術】
【０００２】
従来から、スポンジケーキ材料と、組み立て式の焼き型とからなる組み立てケーキ焼き型を組み合わせたスポンジケーキセットが知られている。このようなスポンジケーキセットを用いれば、家庭内においても容易に味の良いスポンジケーキが製造できる、とされている（特許文献１参照）。
【先行技術文献】
【特許文献】
【０００３】
【特許文献１】実公昭６０−０２１９７２号公報
【考案の概要】
【考案が解決しようとする課題】
【０００４】
しかしながら、特許文献１を含む従来の技術は、スポンジケーキを製造することができる一方で、このスポンジケーキを装飾することはできなかった。そのため、家庭内でケーキや菓子を装飾する場合には、クリームや絞り口などを別途に購入して準備しておく必要があった。
【０００５】
そこで、本考案は、ケーキ及び／又は菓子を装飾することのできる菓子用チューブを提供することを目的としている。
【課題を解決するための手段】
【０００６】
前記目的を達成するために、本考案の菓子用チューブは、変形可能なチューブ本体部と、前記チューブ本体部の先端に取り付けられる絞り口部であって、複数の孔が形成された絞り口部と、前記絞り口部を開閉可能に封鎖する蓋部と、前記チューブ本体部に封入されるクリームペーストであって、前記絞り口部から複数の筋状に絞り出される、クリームペーストと、から構成される。
【考案の効果】
【０００７】
このように、本考案の菓子用チューブは、チューブ本体部と、複数の孔が形成された絞り口部と、蓋部と、絞り口部から複数の筋状に絞り出されるクリームペーストと、から構成されている。このような構成の菓子用チューブであれば、絞り口部から複数の筋状にクリームペーストが絞り出されることによって、きわめて簡単にケーキ及び／又は菓子を装飾することができる。
【図面の簡単な説明】
【０００８】
【図１】菓子用チューブの構成を説明する説明図である。
【図２】ティーキットの構成を説明する説明図である。
【図３】ティーキットの使用方法を説明するフロー図である。
【図４】菓子用チューブの作用を説明する作用図である。
【図５】変形例の複数の孔の構成を説明する説明図である。
【考案を実施するための形態】
【０００９】
以下、本考案の実施の形態について図面を参照して説明する。ただし、以下の実施例に記載されている構成要素は例示であり、本考案の技術範囲をそれらのみに限定する趣旨のものではない。
【実施例】
【００１０】
（菓子用チューブの構成）
まず、図１を用いて本考案の菓子用チューブ１の構成を説明する。本考案の菓子用チューブ１は、チューブ本体部２と、絞り口部３と、蓋部４と、クリームペースト５と、から構成されている。なお、以下の実施例では、「菓子用」チューブ１と表記するが、装飾される菓子（６）としては、スポンジケーキ、カップケーキ、タルトなどのいわゆる「土台」も含まれる。
【００１１】
チューブ本体部２は、ラミネートチューブ、共押出多層チューブ、スタンド型パウチなどの変形可能な素材（合成樹脂）から円筒状に形成されており、一方の端部２ａは圧着されて封鎖され、他方の端部２ｂには絞り口部３が取り付けられている。
【００１２】
絞り口部３は、チューブ本体部２と一体に形成されており、チューブ本体部２の他方の端部２ｂに配置されている。絞り口部３は、チューブ本体部２とは別体として形成して後付けされるものであってもよい。絞り口部３は、全体として、円筒容器形状にされており、底面には複数の孔３１、・・・が配置されている。
【００１３】
より具体的に言うと、複数の孔３１、・・・は、例えば、５つの孔３１、・・・が１列に配置されていたり、２列に配置されていたりすることが好ましい。なお、この複数の孔３１、・・・の配列は、整列されたものに限定されるものではなく、ランダムに配置されていてもよい。さらに、複数の孔３１、・・・は、図５の変形例に示すように、複数行かつ複数列の複数の微細な孔３１、・・・として構成することもできる。このように構成することによって、一度に多量の筋状のクリームペースト５を絞り出すことができる。
【００１４】
この複数の孔３１、・・・から、チューブ本体部２の内部に封入されたクリームペースト５を、複数の筋状に吐出することで、菓子（６）に趣のある外観を施すことができるようになっている。すなわち、クリームペースト５は一度の絞り出し動作によって、複数の孔３１、・・・を通じて隣接する複数列の筋状（ひも状、糸状）に絞り出される。
【００１５】
蓋部４は、絞り口部３の外径よりひと周り大きい円筒容器形状とされており、絞り口部３を開閉可能に封鎖している。すなわち、蓋部４の内面と絞り口部３の外面が接触することで、内部に封入されたクリームペースト５が漏れ出ないようになっている。なお、蓋部４は、一部が絞り口部３と繋がって一体に形成されるものであってもよい。
【００１６】
クリームペースト５は、チューブ本体部２に封入されているクリーム状のペーストである。クリームペースト５としては、例えば、モンブランケーキ用のマロンクリームペーストを用いることができる。なお、クリームペースト５には、保存のために防腐剤を添加することができる。さらに、クリームペースト５は、チューブ本体部２に封入された状態で冷凍することも可能である。なお、クリームペースト５としては、栗（マロンペースト）に限定されるものではなく、いちご、マンゴー、ぶどう等のペーストとすることも好ましい。
【００１７】
（菓子キットの構成）
そして、上述した菓子用チューブ１と、クリームペースト５によって装飾される菓子６と、によって菓子キットＣが構成されている。この菓子キットＣの使用方法についても、後述するティーキットＫと略同様に、
１）菓子用チューブ１と菓子６とを準備する工程（ステップＳ１）と、
２）菓子キットＣを所定の使用場所まで配送する工程（ステップＳ２）と、
３）使用場所においてクリームペースト５が絞り口部３から菓子６の上に複数の筋状に絞り出される工程（ステップＳ３）と、から構成することができる。このように菓子キットＣを構成すれば、家庭内においても、容易にモンブラン等を楽しむことができる。
【００１８】
菓子６としては、例えば、装飾されるスポンジケーキ、タルト、カップケーキ、焼き菓子、サンドウィッチ、スイートポテト、セサミスティック、プチメンドルケーキ、クッキー、スコーン等を含むことができる。
【００１９】
特に、本実施例では、菓子用チューブ１のクリームペースト５としてモンブランケーキ用のマロンクリームを用いるとともに、菓子６としてモンブランケーキ用の土台を用いることが好ましい。この場合、土台としては、タルトやスポンジケーキを用いることが好ましい。
【００２０】
（ティーキットの構成）
そして、上述した菓子用チューブ１と、クリームペースト５によって装飾される菓子６と、茶葉が封入されるティーバッグ７と、によって、ティーキットＫが構成されている。すなわち、ティーキットＫは、菓子キットＣとティーバッグ７とから構成されている。この他、ティーキットＫは、これらを個別に収納することのできる、意匠の施された箱８１に収納することができる。
【００２１】
このうち菓子６としては、例えば、装飾されるスポンジケーキ、カップケーキ、焼き菓子、サンドウィッチ、スイートポテト、セサミスティック、プチメンドルケーキ、クッキー、スコーン等を含むことができる。
【００２２】
また、ティーバッグ７には、様々な種類の紅茶、オリジナルにブレンドされたティーを含む茶葉など（ショウガ粉末等も含む）を封入することができる。この他、ティーバッグ７と湯を入れるための紙コップ８２を備えることも好ましい。
【００２３】
（使用方法）
次に、図３、図４を用いて、本実施例のティーキットＫの使用方法について説明する。使用方法は、以下の１）〜４）の各ステップから構成される。
１）菓子用チューブ１と菓子６とティーバッグ７を準備する工程（ステップＳ１）
すなわち、ティーキットＫ（菓子キットＣ及びティーバッグ７）を準備して梱包する工程である。
２）ティーキットＫを所定の使用場所まで配送する工程（ステップＳ２）
例えば、宅配よって、ティーキットＫを個別の家庭まで届ける工程である。
３）使用場所においてクリームペースト５が絞り口部３から菓子６の上に複数の筋状に絞り出される工程（ステップＳ３）
つまり、チューブ本体部２を手で握ることによって、先端の絞り口部３の複数の孔３１、・・・から複数の筋状（ひも状）にクリームペースト５が一部の菓子６の上に絞り出される（図４参照）。これによって、ケーキや菓子６等を装飾することができる。
４）ティーバッグ７を用いて茶をいれる工程（ステップＳ４）
すなわち、ポットやカップの中に湯を入れて、ティーバッグ７を浸す工程である。所定時間経過後に、ティーバッグ７を取り出して紅茶を飲むことになる。
【００２４】
このようにして、本実施例のティーキットＫを用いれば、家庭内において簡単にティーを優雅に楽しむことができる。なお、紅茶の茶葉の種類は、家庭内にあるものを使用することももちろん可能である。
【００２５】
（効果）
次に、本実施例の菓子用チューブ１、菓子キットＣ、及びティーキットＫの奏する作用を列挙して説明する。
【００２６】
（１）上述してきたように、本実施例の菓子用チューブ１は、変形可能なチューブ本体部２と、チューブ本体部２の先端に取り付けられる絞り口部３であって、複数の孔３１、・・・が形成された絞り口部３と、絞り口部３を開閉可能に封鎖する蓋部４と、チューブ本体部２に封入されるクリームペースト５であって、絞り口部３から複数の筋状に絞り出される、クリームペースト５と、から構成されている。このような構成の菓子用チューブ１であれば、絞り口部３から複数の筋状にクリームペースト５が絞り出されることによって、きわめて簡単にケーキ及び／又は菓子（６）を装飾することができる。
【００２７】
（２）また、本実施例の菓子キットＣは、上述した菓子用チューブ１と、クリームペースト５が絞り出される菓子６と、から構成される。このように構成すれば、従来は装飾することが困難であったモンブランケーキなど、宅配中に崩れてしまうようなケーキであっても、家庭内で楽しみながら装飾することができる。
【００２８】
（３）さらに、本実施例の菓子キットＣは、チューブ本体部２に封入されたクリームペースト５は、モンブランケーキ用のマロンクリームペーストであることが好ましい。さらに、菓子６は、モンブランケーキ用の土台（スポンジケーキ等）であることが好ましい。そうすれば、土台に複数の筋状のクリームペースト５を絞り出すことによって、きわめて簡単にモンブランケーキを楽しむことができる。
【００２９】
（４）また、ティーキットＫは、上述した菓子キットＣ（菓子用チューブ１及び菓子６）と、茶葉が封入されたティーバッグ７と、から構成されている。このような構成であれば、特別に準備することなく、きわめて簡単にティーを楽しむことができる。
【００３０】
（５）そして、本実施例のティーキットＫの使用方法は、上述したティーキットＫの使用方法であって、菓子キットＣとティーバッグ７を準備する工程と、ティーキットＫを所定の使用場所まで配送する工程と、使用場所においてクリームペースト５が絞り口部３から菓子６の上に複数の筋状に絞り出される工程と、ティーバッグ７を用いて茶をいれる工程と、を備えている。このように構成すれば、従来は装飾することが困難であったモンブランケーキなど、宅配中に崩れてしまうようなケーキであっても、家庭内で楽しみながら装飾することができる。
【００３１】
以上、図面を参照して、本考案の実施例を詳述してきたが、具体的な構成は、この実施例に限らず、本考案の要旨を逸脱しない程度の設計的変更は、本考案に含まれる。
【００３２】
例えば、実施例では、クリームペースト５によって装飾される対象を「菓子６」と表現したが、この表現に限定されるものではなく、ケーキや焼き菓子なども「菓子６」の概念に含まれる。
【符号の説明】
【００３３】
１    ：菓子用チューブ
２    ：チューブ本体部
２ａ  ：端部
２ｂ  ：端部
３    ：絞り口部
３１  ：孔
４    ：蓋部
５    ：クリームペースト
６    ：菓子
７    ：ティーバッグ
８１  ：箱
８２  ：紙コップ
Ｃ    ：菓子キット
Ｋ    ：ティーキット
【図１】
0003233148.tif 000003
【図２】
0003233148.tif 000004
【図３】
0003233148.tif 000005
【図４】
0003233148.tif 000006
【図５】
0003233148.tif 000007